(57)【特許請求の範囲】
【請求項１】
アーチ型梱包機のアーチ内に配置されたバンドガイドを開き作動させる際に、梱包用バンドがこのバンドガイドとともに移動してバンド溝内に残留するのを防止する梱包用バンドの残留防止装置であって、
前記バンドガイドの背部に設けられた貫通孔に、頭部が前記バンドガイドの前記背部の後側に位置するように、スライド可能に差し込まれた押し出しピンと、この押し出しピンの頭部の後側に配置されるピン受けを有して前記アーチに固定されたピン受け部材と、前記バンドガイドの前記背部と前記押し出しピンの頭部との間に配置され、前記押し出しピンの頭部を押して前記ピン受けに摺動可能に当接させる、前記押し出しピンにはめられた圧縮コイルスプリングと、を備え、
前記バンドガイドは、前記圧縮コイルスプリングを圧縮して開き作動できるように構成されている、ことを特徴とする梱包用バンドの残留防止装置。
【請求項２】
アーチ型梱包機のアーチ内に配置されたバンドガイドを開き作動させる際に、梱包用バンドがこのバンドガイドとともに移動してバンド溝内に残留するのを防止する梱包用バンドの残留防止装置であって、
前記バンドガイドの背部に設けられた貫通孔に、頭部が前記バンドガイドの前記背部の後側に位置するように、スライド可能に差し込まれた押し出しピンと、前記バンドガイドの前記背部と前記押し出しピンの頭部との間に配置され、前記押し出しピンの頭部を押して、この頭部の後側に位置するアーチプレートに摺動可能に当接させる、前記押し出しピンにはめられた圧縮コイルスプリングと、を備え、
前記バンドガイドは、前記圧縮コイルスプリングを圧縮して開き作動できるように構成されている、ことを特徴とする梱包用バンドの残留防止装置。
【発明の詳細な説明】
【０００１】
【発明の属する技術分野】
本発明は、アーチ型梱包機のバンドガイドの開き作動時に、バンドガイドのバンド溝内に梱包用バンドが残留してしまうのを防止する梱包用バンドの残留防止装置に関する。
【０００２】
【従来の技術】
アーチ型梱包機では、開口側がアーチ内面に押し付けられている断面コ字状のバンドガイドのバンド溝に梱包用バンドを送り込み、バンド溝内に送り込まれたこの梱包用バンドを高速で引き戻して被梱包物に巻き付け、被梱包物に巻き付いた梱包用バンドを引き戻して引き締めてから、バンドの後端部の切断及び後端部と先端部との接着（通常は溶着）を行って被梱包物を梱包している。梱包用バンドの高速引き戻しは、バンドガイドをアーチ当接内面から離れる方向に強制的に開き作動させ、梱包用バンドをバンドガイドから全体的に、あるいは部分的に抜け出た状態にした直後に行われる。
【０００３】
【発明が解決しようとする課題】
ところで、バンドガイドのバンド溝は、梱包用バンドの先端部が折れ曲がることなく確実に走行できるように幅あるいは厚さ（特に厚さ）が比較的小さく形成されている。したがって、バンドガイドを開き作動させたときに、バンド溝の内面と梱包用バンドとの間の摩擦力により梱包用バンドがバンドガイドの移動に追随してしまい、梱包用バンドがバンド溝内に残留してしまうおそれがある。梱包用バンドがバンド溝内に残留している状態でバンドを高速で引き締めると、梱包用バンドが抜け出る際にバンドガイドに瞬間的に無理な変形が生じてバンドガイドを傷めることとなってしまう。
【０００４】
そこで本発明は、バンドガイドの開き作動時に梱包用バンドをバンド溝から確実に抜け出た状態とし、しかも、バンドガイドの円滑な開き作動を損なうことのない梱包用バンドの残留防止装置を提供することを目的とする。
【０００５】
【課題を解決するための手段】
この目的を達成するための本発明の梱包用バンドの残留防止装置は、アーチ型梱包機のアーチ内に配置されたバンドガイドを開き作動させる際に、梱包用バンドがこのバンドガイドとともに移動してバンド溝内に残留するのを防止する梱包用バンドの残留防止装置であって、前記バンドガイドの背部に設けられた貫通孔にスライド可能に差し込まれた押し出しピンと、この押し出しピンの頭部の後側に配置されたピン受けと、前記バンドガイドの前記背部と前記押し出しピンの頭部との間に配置され、前記押し出しピンの頭部を押して前記ピン受けに摺動可能に当接させるバネ部材と、を備えたものである。貫通孔はバンドガイドの背面からバンド溝に至るように貫通する。バンドガイドがアーチ内面に押し付けられ、押し出しピンの頭部がバネ部材に押されてピン受けに押し付けられているときには、押し出しピンの先端はバンド溝内に入り込んでいないか、あるいは多少入り込む状態となっている。したがって、バンドガイドのバンド溝内への梱包用バンドの送り込みが押し出しピンにより阻害されるといったことはない。梱包用バンドがバンドガイドのバンド溝内に送り込まれ、バンドガイドがアーチ当接内面から離れる方向に、すなわち開口側がアーチ当接内面から離れる方向に、バネ部材を変形させて開き作動すると、押し出しピンの先端部がバンド溝内に深く入り込み、バンドガイドに追随するバンドあるいはバンド部分をバンド溝から押し出す。押し出しピンはピン受けに当接しているだけなので、すなわち押し出しピンはピン受けに対して摺動あるいはスライドできるので、開き作動時にバンドガイドが振動しても、押し出しピンとバンドガイドとの間の摩擦力が大きくなってバンドガイドの開き作動に支障が生じる、といったことがない。バネ部材は、バンドガイドが戻るときに、あるいは戻り作動するときに、押し出しピンをピン受けに当接した状態に維持するように機能し、また、バンドガイドに戻り力又は実質的な戻り補助力を作用させる場合も多い。バネ部材は通常、アーチ内面への押し付け力又は押し付け補助力をバンドガイドに作用させる。バネ部材のバネ力は、バンドガイドが開き作動したときに、押し出しピンの頭部とピン受けとの接触圧が過大とならず、押し出しピンがピン受けに対して無理なく摺動できる程度のものであることが好ましい。バネ部材として押し出しピンにはめられた圧縮コイルスプリングを用いれば、残留防止装置の構成を簡単なものとすることができる。本発明の残留防止装置を設ける位置は、バンドガイドの強制的な開き動作にバンドが追随する可能性が高い部分、例えばアーチ又はバンドガイドのコーナー部とすることができる。
【０００６】
ピン受けとしては、アーチに固定されたピン受け部材を用いることもできるが、バンドガイドが押し付けられるアーチプレートと反対側のアーチプレートをそのまま用いることもできる。
【０００７】
【発明の実施の形態】
以下、本発明の実施の形態を図面を参照して説明する。
【０００８】
図１は本発明に係る梱包用バンドの残留防止装置を備えたアーチ型梱包機のバンドガイド部分を概略的に示す図、図２は上部支え装置の詳細を示す図、図３は開き作動用プッシュ型ソレノイドプランジャの構成を示す図である。
【０００９】
アーチ型梱包機１のアーチ３に沿ってループ状に配置された断面コ字状のバンドガイド５の上側中央部は上部支え装置７に支えられている。上部支え装置７は、バンドガイド５の上側中央部に固定された移動支持部材９と、アーチ３の上側で一方のアーチプレート部１１（前側アーチプレート部）及び他方のアーチプレート部１３（後側アーチプレート部）間に取り付けられて前後方向に、すなわちバンドガイド５の幅方向（梱包用バンドの幅方向）に水平又は平行に延びる、移動支持部材９をスライド可能に支える案内棒１５と、他方のアーチプレート部１３と移動支持部材９との間に位置して案内棒１５にはめられた圧縮コイルスプリング１７とから構成されている。バンドガイド５は、ここでは主に圧縮コイルスプリング１７のバネ力により、バンド溝１９の開口側が一方のアーチプレート部１１に押し付けられた状態となっていて（バンドガイド５は全体的に、バンド溝１９の開口側が一方のアーチプレート部１１（下部当接部材を含む）に押し付けられた状態となっている）、バンド溝１９内には梱包用バンド２１が送り込まれている。バンドガイド５の開き作動時には移動支持部材９がバンドガイド５とともに圧縮コイルスプリング１７のバネ力に抗して案内棒１５に沿って後方に、すなわちバンドガイド５が一方のアーチプレート部１１から離れる方向に移動する。バンド溝１９は厚さが薄く形成されていて、また、梱包用バンド２１が抜け出るときに、仮にバンド溝１９内面に引っ掛かったとしても、バンド抜けがスムーズに行われるように、バンド溝１９の抜け側の壁（図２中下側の壁）は若干薄く形成されている。
【００１０】
アーチ３の第２コーナー部及び第３コーナー部にはそれぞれ、一方のアーチプレート部１１に固定された開き作動用プッシュ型ソレノイドプランジャ２３が設けられ、このプッシュ型ソレノイドプランジャ２３の作動部２５はバンドガイド５に取り付けられていて、プッシュ型ソレノイドプランジャ２３の作動時（作動部２５が図３矢印方向に移動する）にバンドガイド５は作動部２５に引っ張られて一方のアーチプレート部１１から離れる方向に移動して開き作動する。なお、図１中２７は、スティック２９及びこのスティック２９の下端に接続された引っ張りコイルスプリング３１から構成された戻し用スプリング部材であり、スティック２９の上端は一方のアーチプレート部１１に回転可能に取り付けられ、引っ張りコイルスプリング３１の下端はそれぞれバンドガイド５の左右両側部に取り付けられている。
【００１１】
アーチ３の下側にはバンドガイド５の下部に沿うように作動シャフト３３が回転可能に配置されていて、作動シャフト３３とバンドガイド５の下部とはリンク３５により連結されている。作動シャフト３３の一端部は下部ソレノイドプランジャ３７に接続されていて、この下部ソレノイドプランジャ３７の作動により作動シャフト３３が回転し、リンク３５を介してバンドガイド５が開き作動するように構成されている。なお、バンドガイド５の下部は下部スプリング（図示せず）によりアーチプレート部１１に当接する方向に押されている。
【００１２】
したがって、プッシュ型ソレノイドプランジャ２３及び下部ソレノイドプランジャ３７を同時に作動させることにより、バンドガイド５全体が一方のアーチプレート部１１から離れる方向に移動して開き作動を行う。そして、アーチ３には、バンドガイド５の開き作動時に梱包用バンド２１がバンドガイド５に追随してバンド溝１９内に残留するのを防止する梱包用バンドの残留防止装置３９が構成されている。
【００１３】
図４は梱包用バンドの残留防止装置３９の詳細を示す図であり、バンドガイド５の開き作動前の状態を示す図、図５はバンドガイド５の開き作動後の状態を示す図である。
【００１４】
アーチ３の各コーナー部にはそれぞれ、梱包用バンドの残留防止装置３９が設けられている。残留防止装置３９は、金属プレート製のピン受け４１（ピン受け部材）と、後端に頭部４３を有する押し出しピン４５と、圧縮コイルスプリング４７とを備えて構成され、ピン受け４１は、一方のアーチプレート部１１に固定された固定部４９、この固定部４９の先端から後方に、すなわちバンドガイド５の幅方向に延びる、バンドガイド５の幅よりも長い幅方向部５１、およびこの幅方向部５１の先端（あるいは後端）からアーチ３又はアーチプレート部１１、１３に平行に延びてバンドガイド５の背部５３の後側に位置する背面部５５（ピン受け）から一体的に形成されている。バンドガイド５の背部５３には、背面からバンド溝１９に至る貫通孔５７が設けられていて、押し出しピン４５はこの貫通孔５７に先端側からスライド可能に挿入されている。圧縮コイルスプリング４７はバンドガイド５の背面と押し出しピン４５の頭部４３との間に位置して押し出しピン４５にはめられていて、押し出しピン４５の頭部４３はこの圧縮コイルスプリング４７によって常にピン受け４１の背面部５５に押し付けられて当接している。バンドガイド５の開き作動前ではバンドガイド５は圧縮コイルスプリング４７に押されて、あるいは圧縮コイルスプリング４７にも押されて一方のアーチプレート部１１に押し付けられ、押し出しピン４５の先端は貫通孔５７の先端に位置してバンド溝１９内に入り込まない状態となっている。バンドガイド５が圧縮コイルスプリング４７のバネ力に抗して開き作動を開始すると、押し出しピン４５の先端はバンド溝１９内に入り込み、バンドガイド５が完全に開いたときにはバンド溝１９の開口位置まで相対的に前進する。したがって、梱包用バンド２１がバンドガイド５に追随して移動しても押し出しピン４５によりバンド溝１９内から押し出され、バンドガイド５の開き作動の完了時には梱包用バンド２１はバンドガイド５から全体的に抜け出た状態となっている。
【００１５】
梱包用バンド２１の高速引き戻し、そして引き締め、梱包用バンド２１の後端部の切断、そして後端部及び先端部の溶着の後に、プッシュ型ソレノイドプランジャ２３及び下部ソレノイドプランジャ３７への通電が遮断され、バンドガイド５は上部支え装置７の圧縮コイルスプリング１７、戻し用スプリング部材２７、梱包用バンドの残留防止装置３９の圧縮コイルスプリング４７及び下部スプリングのバネ力により一方のアーチプレート部１１に当接するように復帰する。
【００１６】
【発明の効果】
以上説明したように、本発明の梱包用バンドの残留防止装置を用いれば、バンドガイドの開き作動時に梱包用バンドがバンド溝内に残留してしまうことを防止でき、しかも開き作動時にバンドガイドが振動したとしても、押し出しピンもバンドガイドに追随して動くことができるので、円滑なバンドガイドの開き作動を確保できる。
【図面の簡単な説明】
【図１】本発明に係る梱包用バンドの残留防止装置を備えたアーチ型梱包機のバンドガイド部分を概略的に示す図である。
【図２】上部支え装置の詳細を示す図である。
【図３】開き作動用プッシュ型ソレノイドプランジャの構成を示す図である。
【図４】梱包用バンドの残留防止装置の詳細を示す図であり、バンドガイドの開き作動前の状態を示す図である。
【図５】梱包用バンドの残留防止装置の詳細を示す図であり、バンドガイドの開き作動後の状態を示す図である。
【符号の説明】
１            アーチ型梱包機
３            アーチ
５            バンドガイド
１９          バンド溝
２１          梱包用バンド
３９          梱包用バンドの残留防止装置
４１          ピン受け
４３          頭部
４５          押し出しピン
４７          圧縮コイルスプリング（バネ部材）
５３          背部
５７          貫通孔
【図１】
0004698872.tif 000002
【図２】
0004698872.tif 000003
【図３】
0004698872.tif 000004
【図４】
0004698872.tif 000005
【図５】
0004698872.tif 000006